(57)【要約】      （修正有）【課題】開閉型の小物入れにおいて、開閉時に要する使用者の負担を軽減するヒンジ構造を提供する。【解決手段】回動受け部１６は可撓性を有する素材からなると共に、長径と短径とを有するリング状に形成されると共に長径方向の一端部には開放端部が設けられ、回動部１７は、回動受け部１６の長径と同一の寸法を有し、回動部１７は、回動受け部１６において長径方向位置に配置される場合には回動受け部１６により回動不能に抱持されて他のフレーム部は上記一のフレーム部から離間した状態で固定され、回動部１７が上記長径方向位置から回動して短径方向位置に配置される場合には、回動部１７は回動受け部１６が拡開して回動受け部１６の付勢力を受け、回動部１７がさらに回動して短径方向位置を通過した場合には、上記付勢力により回動部１７が回動して他のフレーム部が上記一のフレーム部に当接した状態で固定される。【選択図】図３
0003151111.tif 000002
【実用新案登録請求の範囲】
【請求項１】
一のフレーム部に設けられた回動受け部と、他のフレーム部に設けられ、上記回動受け部内において回動する回動部とを備えた開閉型小物入れのヒンジ構造であって、
上記回動受け部は可撓性を有する素材からなると共に、長径と短径とを有するリング状に形成されると共に長径方向の一端部には開放端部が設けられ、上記回動部は、上記回動受け部の長径と同一の寸法を有し、
上記回動部は、上記回動受け部において長径方向位置に配置される場合には上記回動受け部により回動不能に抱持されて他のフレーム部は上記一のフレーム部から離間した状態で固定され、
上記回動部が上記長径方向位置から回動して短径方向位置に配置される場合には、上記回動部は上記回動受け部が拡開して上記回動受け部の付勢力を受け、
上記回動部がさらに回動して短径方向位置を通過した場合には、上記付勢力により上記回動部が回動して他のフレーム部が上記一のフレーム部に当接した状態で固定されることを特徴とする開閉型小物入れのヒンジ構造。
【請求項２】
上記回動受け部は側面楕円形状に形成されると共に、上記回動部は常時回動受け部の内方周縁部において互いに対抗した部位に当接する一対の当接部を有し、上記一対の当接部の間の部位を回動中心として回動することを特徴とする請求項１記載の開閉型小物入れのヒンジ構造。
【請求項３】
上記回動部は、針金状に形成されたフレーム本体部の端部に、長さ方向に沿って形成された板状の係合片部からなると共に、上記回動受け部は、フレーム本体部の端部に連設された基部を有し、
上記回動部が長径方向位置に配置されて他のフレーム部が上記一のフレーム部から離間した状態で回動不能に固定された場合には、上記開放端部は上記基部に最も接近した状態で上記回動部を抱持し、
上記回動部が短径方向位置に配置され他のフレーム部は上記一のフレーム部に近接した状態の場合には、上記開放端部は上記基部から最も離間した状態となり、
上記回動部が短径方向位置を通過して上記他のフレーム部が上記一のフレーム部に当接した状態の場合には、上記開放端部は、上記長径方向位置と上記短径方向位置との間の中間の離間状態となることを特徴とする請求項２記載の開閉型小物入れのヒンジ構造。
【請求項４】
上記回動受け部は、上記フレーム本体部の長さ方向に対して短片方向が４５度傾斜して形成されていることを特徴とする請求項３記載の開閉型小物入れのヒンジ構造。
【請求項５】
上記フレーム部は全体コ字状に形成され、上記回動受け部及び回動部は、上記フレーム本体部の両端部に設けられていることを特徴とする請求項４記載の開閉型小物入れのヒンジ構造。
【請求項６】
上記一のフレーム部及び他のフレーム部は、財布本体を形成することを特徴とする請求項１記載の開閉型小物入れのヒンジ構造。
【請求項７】
上記一のフレーム部は財布本体に設けられたコイン収納部の基部を構成すると共に、上記他のフレーム部は上記コイン収納部の収納片部を構成することを特徴とする請求項１記載の開閉型小物入れのヒンジ構造。
【考案の詳細な説明】
【技術分野】
【０００１】
本考案は、財布等の開閉型小物入れのヒンジ構造に係り、特に、付勢力により半自動的に開閉する開閉型小物入れのヒンジ構造に関する。
【背景技術】
【０００２】
財布等の小物入れに関しては、２つ折りのものや、蓋付きの小銭入れ部を有するものや、開閉することにより小銭を出し入れするもの等がある。
【考案の概要】
【考案が解決しようとする課題】
【０００３】
この場合、従来は、例えば、２つ折りの財布に関しては、使用時には使用者が一方の手で一方の開閉部を保持しつつ他方の手で他方の開閉部を開閉させることにより、開閉作業を行う必要があり、札の出し入れ時には、常時両手が塞がれることとなり煩雑であった。
この事情は、財布に設けられた小銭入れ部や、いわゆる小銭入れを使用する場合にも同様であった。
そこで、本考案の課題は、開閉型の小物入れにおいて、開閉時に要する使用
者の負担を軽減することにある。
【課題を解決するための手段】
【０００４】
上記課題解決のため、請求項１記載の考案にあっては、一のフレーム部に設けられた回動受け部と、他のフレーム部に設けられ、上記回動受け部内において回動する回動部とを備えた開閉型小物入れのヒンジ構造であって、上記回動受け部は可撓性を有する素材からなると共に、長径と短径とを有するリング状に形成されると共に長径方向の一端部には開放端部が設けられ、上記回動部は、上記回動受け部の長径と同一の寸法を有し、上記回動部は、上記回動受け部において長径方向位置に配置される場合には上記回動受け部により回動不能に抱持されて他のフレーム部は上記一のフレーム部から離間した状態で固定され、上記回動部が上記長径方向位置から回動して短径方向位置に配置される場合には、上記回動部は上記回動受け部が拡開して上記回動受け部の付勢力を受け、上記回動部がさらに回動して短径方向位置を通過した場合には、上記付勢力により上記回動部が回動して他のフレーム部が上記一のフレーム部に当接した状態で固定されることを特徴とする。
【０００５】
従って、請求項１記載の開閉型小物入れのヒンジ構造にあっては、上記回動部が上記回動受け部において長径方向位置に配置される場合には上記回動受け部により回動不能に抱持されて他のフレーム部は上記一のフレーム部から離間した状態で固定されている。
【０００６】
その後、使用者が手で上記回動部を上記長径方向位置から回動させて短径方向位置に配置した場合には、上記回動部は上記回動受け部が拡開して上記回動受け部の付勢力を受け、上記回動部を短径方向位置を通過させて回動させた場合には、上記付勢力により上記回動部が自動的に回動して他のフレーム部が上記一のフレーム部に当接した状態で固定される。
また、上記他のフレーム部を上記一のフレーム部から開き、上記回動部が回動して短径方向位置に移動した場合には、上記回動受け部が拡開することにより上記回動受け部の付勢力が回動部に作用し、上記回動部が短径方向位置を通過した場合には、上記付勢力により上記回動部は自動的に回動して長径方向位置に至り、回動受け部により抱持されて固定される。
【０００７】
請求項２記載の考案にあっては、上記回動受け部は全体楕円形状に形成されると共に、上記回動部は常時回動受け部の内方周縁部において互いに対抗した部位に当接する一対の当接部を有し、上記一対の当接部の間の部位を回動中心として回動することを特徴とする。
従って、請求項２記載の考案にあっては、上記回動部は楕円形状に形成された回動受け部内を一対の当接部により回動する。
【０００８】
請求項３記載の考案にあっては、上記回動部は、上記回動部は、針金状に形成されたフレーム本体部の端部に、長さ方向に沿って形成された板状の係合片部からなると共に、上記回動受け部は、フレーム本体部の端部に連設された基部を有し、上記回動部が長径方向位置に配置されて他のフレーム部は上記一のフレーム部から離間した状態で回動不能に固定された場合には、上記開放端部は上記基部に最も接近した状態で上記回動部を抱持し、上記回動部が短径方向位置に配置され他のフレーム部は上記一のフレーム部に近接した状態で固定された場合には、上記開放端部は上記基部から最も離間した状態となり、上記回動部が短径方向位置を通過して上記他のフレーム部が上記一のフレーム部に当接した状態の場合には、上記開放端部は、上記長径方向位置と上記短径方向位置との間の中間の離間状態となることを特徴とする。
【０００９】
従って、請求項３記載の考案にあっては、上記回動部が短径方向位置にある場合には回動受け部の最も大きな付勢力を受けることとなり、上記他のフレーム部が上記一のフレーム部に当接した場合には、上記回動部には回動受け部の付勢力が作用した状態で固定される。
【００１０】
請求項４記載の考案にあっては、上記回動受け部は、上記フレーム本体部の長さ方向に対して短片方向が４５度傾斜して形成されていることを特徴とする。
その結果、上記他のフレーム部は上記一のフレーム部に当接した状態から離間して、上記一のフレーム部に対して４５度の位置になった場合に、上記回動部は上記回動受け部の最も大きな付勢力を受ける。従って、上記一のフレーム部を指で押して回動させた場合には、上記付勢力が回動部に作用し、上記一のフレーム部は自動的に回動し、上記回動部が長径方向位置へ至り固定される。  また、回動部が長径方向位置にあり反対方向へ回動させる場合も同様である。
【００１１】
請求項５記載の考案にあっては、上記フレーム部は全体コ字状に形成され、上記回動受け部及び回動部は、上記フレーム部の両端部に設けられていることを特徴とする。
【００１２】
請求項６記載の考案にあっては、上記一のフレーム部及び他のフレーム部は、財布本体を形成することを特徴とする。
請求項７記載の考案にあっては、上記一のフレーム部は財布本体に設けられたコイン収納部の基部を構成すると共に、上記他のフレーム部は上記コイン収納部の蓋部を構成することを特徴とする。
【考案の効果】
【００１３】
従って、請求項１〜３記載の開閉型小物入れのヒンジ構造にあっては、上記回動部が上記回動受け部において長径方向位置に配置される場合には上記回動受け部により回動不能に抱持されて他のフレーム部は上記一のフレーム部から離間した状態で固定され、その後、使用者が手で上記回動部を上記長径方向位置から回動して短径方向位置に配置した場合には、上記回動部は上記回動受け部が拡開して上記回動受け部の付勢力を受け、上記回動部をさらに回動させて短径方向位置を通過した場合には、上記付勢力により上記回動部が自動的に回動して他のフレーム部が上記一のフレーム部に当接した状態で固定される。
【００１４】
また、他のフレーム部が上記一のフレーム部に当接した状態時には、上記他のフレーム部に設けられた回動部は上記回動受け部の短径方向位置を通過した位置に配置されており、他のフレーム部は上記回動受け部の付勢力を受けた状態でしっかりと一のフレーム部に固定されている。
上記他のフレーム部を上記一のフレーム部から開き、上記回動部が回動して短径方向位置に移動した場合には、上記回動受け部が拡開することにより上記回動受け部の最も強い付勢力が回動部に作用し、上記回動部が短径方向位置を通過した場合には、上記付勢力により上記回動部は自動的に回動して長径方向位置に至り、回動受け部により抱持されて固定され、他のフレーム部は開放状態となる。
【００１５】
その結果、使用者は小物入れを構成する他のフレーム部を一のフレーム部から半自動的に当接又は離間させることができ、容易に他のフレーム部と一のフレーム部との間の当接及び離間を行うことができ、常時、双方のフレーム部により構成される開閉部を手で保持する必要はなく、開閉時における取り扱いを容易にすることが可能となる。
【００１６】
請求項４及び５記載の考案にあっては、上記他のフレーム部は上記一のフレーム部に当接した状態から離間して、上記一のフレーム部に対して４５度の位置になった場合に、上記回動部は上記回動受け部の最も大きな付勢力を受けることから、上記他のフレーム部に当接した状態から一のフレーム部を指で押して回動させた場合には、上記付勢力が回動部に作用し、上記一のフレーム部は自動的に回動し、上記回動部が長径方向位置へ至り固定される。
また、逆に、他のフレーム部を開放位置から閉方向へ回動させる場合も同様で、上記一のフレーム部に対して４５度の位置にまで回動させた場合には、上記回動部は上記回動受け部の最も大きな付勢力を受け、上記他のフレーム部をさらに回動させた場合には、上記付勢力が回動部に作用し、上記一のフレーム部は自動的に回動し、他のフレーム部は一のフレーム部に当接して固定される。
【００１７】
請求項６記載の考案にあっては、使用者は開閉型の財布の使用時に、常時、両手がふさがれるという事態が無く。開閉に要する使用者の負担を軽減することができる。
請求項７記載の考案にあっては、使用者は財布本体に設けられたコイン収納部の収納片部を容易に開閉することができ、コイン収納部の収納片部の開閉に関する使用者の負担を軽減することができる。
【図面の簡単な説明】
【００１８】
【図１】本考案に係る開閉型小物入れのヒンジ構造を開閉型の財布に適用し、財布本体を閉じた状態を示す斜視図である。
【図２】本考案に係る開閉型小物入れのヒンジ構造を開閉型の財布に適用しし、財布本体を開放した状態を示す斜視図である。
【図３】本考案に係る開閉型小物入れのヒンジ構造を開閉型小物入れのヒンジ構造に適用されるヒンジ構造の一例を示す分解斜視図である。
【図４】本考案に係る開閉型小物入れのヒンジ構造を開閉型小物入れのヒンジ構造に適用されるヒンジ構造の一例を示す斜視図である。
【図５】本考案に係る開閉型小物入れのヒンジ構造の実施の形態であって、双方のフレーム部が当接し、開閉蓋部が閉じた状態を示す概念図である。
【図６】本考案に係る開閉型小物入れのヒンジ構造の実施の形態であって、回動部が回動受け部の短径方向位置にある場合を示す概念図である。
【図７】本考案に係る開閉型小物入れのヒンジ構造の実施の形態であって、回動部が回動受け部の長径方向位置にあり、開閉蓋部が開放した状態を示す概念図である。
【図８】本考案に係る開閉型小物入れのヒンジ構造の他の実施の形態であって、財布本体部に設けられたコイン収納部に適用した場合を示す斜視図である。
【図９】本考案に係る開閉型小物入れのヒンジ構造の他の実施の形態であって、財布本体部に設けられたコイン収納部に適用した場合を示す斜視図であって、収納片部を開放した状態を示す斜視図である。
【考案を実施するための形態】
【００１９】
以下、添付図面に示す実施の形態に基づき、本考案に係る開閉型小物入れを財布に適用した場合を例に詳細に説明する。
図１に示すように、本実施の形態に係る開閉型小物入れのヒンジ構造は、開閉型の財布１０に適用されている。
【００２０】
即ち、財布１０は、開閉蓋部１１，１２を備え、開閉蓋部１１はフレーム部１３を有し、開閉蓋部１２はフレーム部１４を有している。図中、上記フレーム部 １３，１４は、図示上、開閉蓋部１１，１２を形成する皮革又は布材等の表皮部材４０の表面に表出して表されているが、実際には上記表皮部材４０内に配置され、表皮部材４０により被覆された状態となっている。
【００２１】
本実施の形態にあっては、財布１０は、側面長方形状であって薄型に形成され、開閉蓋部１１，１２は周縁部にはファスナー部４１が設けられ、ファスナー部４１により開閉蓋部１１，１２は閉時に固定されるようになっている。図２に示すように、ファスナー部４１を開放した場合には、上記開閉蓋部１１，１２は基部４２を中心に開閉できるように構成されている。
図１及び図３に示すように、上記のフレーム部１３，１４はヒンジ部１５により回動可能に接合されており、上記ヒンジ部１５は上記基部に配置されている。
上記ヒンジ部１５は上記フレーム部１３に設けられた回動受け部１６と、他のフレーム部１４に設けられ、上記回動受け部１６内において回動する回動部１７とを備えている。
【００２２】
図３及び図４に示すように、上記フレーム部１３，１４は針金状に形成され、略コ字状のフレーム本体部１３ａ，１４ａを有している。上記回動受け部１６及び回動部１７は、夫々、フレーム本体部１３ａ，１４ａの両端部に設けられている。
図４に示すように、上記回動部１７は上記回動受け部１６内に挿入配置されており、外方にはキャップ４２が係合され、回動受け部１６を被覆している。
【００２３】
図５〜図７に示すように、上記回動受け部１６，１６は、側面楕円状に形成され、長径Ｌと短径Ｌ１とを有しており、長径方向の一端部には開放端部１８が設けられ、上記回動部１７は、上記回動受け部１６の長径Ｌと同一の寸法を有している。
本実施の形態においては、上記回動受け部１６，１６は、フレーム本体部１３ａの長さ方向に対して基部１９を介して短径方向Ｄが４５度上方に傾斜して連設されている。
【００２４】
一方、図３及び図４に示すように、上記回動部１７は、長さ方向に沿って形成された板状の係合片部２２からなる。本実施の形態にあっては、上記係合片部２２は側面略長方形状に形成され、上記回動部１７は上記回動受け部１６内に配置された場合には、長径方向において長さ方向の両端部２０，２１が回動受け部１６の内周部に当接する状態となる。
【００２５】
図７に示すように、回動部１７は、上記回動受け部１６において長径方向位置Ｄ１に配置される場合には上記回動受け部１６により回動不能に抱持された状態となる。この状態では、上記回動受け部１６の先端部１８は上記基部１９に最も近接した状態となる。
【００２６】
この場合、フレーム本体部１４ａの長さ方向に対して基部１９を介して短径方向Ｄが４５度上方に傾斜して連設されているため、長径方向Ｄ１はフレーム本体部１４ａに対して１３５度傾斜した状態となっている。その結果、フレーム本体部１３ａは上記フレーム本体部１４ａに対して１３５度拡開した状態で固定される。即ち、開閉蓋部１１は開閉蓋部１２に対して１３５度拡開した状態で固定される。
【００２７】
以下、本実施の形態に係る開閉型小物入れのヒンジ構造の作用について説明する。
本実施の形態に係る財布１０において、図１及び図５に示す閉じられた状態から開閉蓋部１１が開放され始め、図６に示すように、上記回動部１７が上記長径方向Ｄ１位置から反時計回りに回動して短径方向Ｄ位置に配置される場合には、上記回動受け部１６が拡開し、上記回動部１７は上記回動受け部１６の付勢力を受けることとなる。この場合、回動受け部１６の先端部１８は上記基部１９から最も離間した状態となる。
【００２８】
そして、図６に示すように、記回動受け部１６は、フレーム本体部１４ａの長さ方向に対して基部１９を介して短径方向Ｄが４５度上方に傾斜して連設されていることから、短径方向Ｄ位置に回動部１７が配置された場合には、上記回動部１７が連設されたフレーム本体部１４ａは上記回動受け部１６が連設されたフレーム本体部１３ａに対して４５度の角度で位置することとなる。
【００２９】
上記回動部１７がさらに回動して短径方向Ｄ位置を通過した場合には、図５に示すように、上記回動受け部１６の付勢力により上記回動部１７が自動的に回動してフレーム本体部１４ａが上記フレーム本体部１３ａに当接した状態で固定されるように構成されている。従って、この状態ではフレーム本体部１３ａはフレーム本体部１４ａに当接した状態となる。
【００３０】
この場合、回動受け部１６は未だ拡開した状態にあり、先端部１８は基部１９から離間した状態にあることから、回動部１７には対しては、上端部１７ａを回動中心として、反時計方向に回動させる付勢力が作用することからフレーム本体部１４ａはフレーム本体部１３ａに密接した状態で固定される。
その結果、開閉蓋部１１は開閉蓋部１２に対して密着した状態で固定されることとなる。
【００３１】
反対に、開閉蓋部１１，１２のいずれかを閉じた状態から開放する場合には、一方の開閉蓋部（例えば、１２）を片手で保持して、他方の開閉蓋部（例えば、１１）を他方の手で開いた場合には、他方の蓋部１２は上記回動部１７が回動受け部１６の短径方向位置Ｄ１を通過した場合には、回動受け部１６の付勢力により自動的に回動して回動受け部１６の長径方向位置Ｄにまで至り、開閉蓋部１２は開閉蓋部１１に対して１３５度の状態で開放した状態で固定される。
【００３２】
図８は、本考案に係る開閉型小物入れのヒンジ構造を財布本体のコイン収納部に適用した状態を示す。
本実施の形態にあっては、コイン収納部を有する財布５０において、コイン収納部３２に本考案に係る開閉型小物入れのヒンジ構造を適用したものである。
本実施の形態にあっては、２本の棒状のフレーム部３０，３０が財布本体３１に設けられたコイン収納部３２の基布材３３の裏面側に縫合固定され基部３６を構成しており、先端部には回動受け部３４が形成されている。また、コ字状の他のフレーム部３５が上記コイン収納部３２の収納片部３６を構成する蓋布材３７の内方に固定され、他のフレーム部３５の先端部には回動部３９が形成され、内側表皮材により被覆されて配置されて収納片部３８を構成している。
【００３３】
上記基部３６及び収納片部３８内に配置されているヒンジ構造は前記実施の形態に係るヒンジ構造と基本的に同一の構造である。但し、収納片部３８の開放角度は４５度に設定されていることから、回動受け部３４の長径方向位置は４５度に設定されると共に、短径方向位置は２２．５度の角度に設定されている。
従って、本実施の形態に係る開閉型小物入れのヒンジ構造にあっては、収納片部３８は、閉時には回動受け部３４の付勢力により上記基部３６に密接しており、開放時に、収納片部３８を開放した場合には、２２．５度以上の角度に至った場合には自動的に回動し、４５度の角度位置で開放固定される。
【００３４】
また、閉時には、収納片部３８は上記同様に２２．５度の位置を通過した場合には自動的に回動して閉じるものである。
なお、本実施の形態にあっては、本考案に係る開閉型小物入れのヒンジ構造を財布に適用した場合を例に説明したが、上記実施の形態に限定されず、例えば、小物入れ、小物収納用バッグ等に使用することも可能である。
また、ヒンジ構造の具体的構成に関しては、上記実施の形態に限定されない。
例えば、上記回動部は常時回動受け部の内方周縁部において互いに対抗した部位に当接する一対の当接部を有し、上記一対の当接部の間の部位を回動中心として回動するように構成されていればよく、本実施の形態においては、板状の係合片部からなる場合を例に説明したが、本実施の形態に限定されない。
また、上記回動受け部の具体的形状に関しても、本実施の形態における楕円形状には限定されない。
【産業上の利用可能性】
【００３５】
本考案は、広く開閉型小物入れのヒンジ構造に適用可能である。
【符号の説明】
【００３６】
１０  財布
１１  開閉蓋部
１２  開閉蓋部
１３  フレーム部
１４  フレーム部
１５  ヒンジ部
１６  回動受け部
１７  回動部
１８  先端部
１９  基部
２０  両端部
２１  両端部
２２  係合片部
３０  フレーム部
３１  財布本体
３２  コイン収納部
３３  基布材
３４  回動受け部
３５  フレーム部
３６  基部
３７  蓋布材
３８  収納片部
３９  回動部
４０  表皮部材
４１  ファスナー部
４２  基部
５０  財布
【図１】
0003151111.tif 000003
【図２】
0003151111.tif 000004
【図３】
0003151111.tif 000005
【図４】
0003151111.tif 000006
【図５】
0003151111.tif 000007
【図６】
0003151111.tif 000008
【図７】
0003151111.tif 000009
【図８】
0003151111.tif 000010
【図９】
0003151111.tif 000011